(57)【特許請求の範囲】
【請求項１】
原稿ページと、原稿ページ間を区切る複数の仕切紙ページとを含む原稿をページ単位で読み取る読取部と、
前記読取部により読み取られたページ単位のページ読取データに基づいて、当該ページ読取データに対応する対象ページが原稿ページであるか仕切紙ページであるかを判定するページ判定部と、
前記ページ判定部により前記原稿ページであると判定されたページであって、前記複数の仕切紙ページにより区切られた複数の原稿ページ群ごとに、該原稿ページ群に含まれる原稿ページの前記ページ読取データそれぞれに含まれる情報の一部を抽出して該原稿ページ群に関する関連情報を生成する関連情報生成部と、
前記ページ判定部により前記仕切紙ページであると判定されたページに対応するページ読取データそれぞれに対し、該仕切紙ページ直前の原稿ページ群の関連情報を、該仕切紙ページに対応する前記ページ読取データに付加し、編集ページ読取データを得るデータ編集部と、
前記複数の仕切紙ページそれぞれに対応するページ読取データを該ページ読取データに対応する編集ページ読取データに変更して前記原稿に対応する原稿読取データを出力する出力部と
を備えることを特徴とする画像処理装置。
【請求項２】
前記読取部により得られた前記ページ読取データのページ数をカウントするカウント部をさらに備え、
前記関連情報生成部は、前記複数の原稿ページ群の前記ページ数を示す前記関連情報を生成することを特徴とする請求項１に記載の画像処理装置。
【請求項３】
前記ページ判定部により前記複数の原稿ページであると判定されたページに対応する前記ページ読取データに対し、文字認識処理を施す文字認識処理部をさらに備え、
前記関連情報生成部は、前記文字認識処理の結果に基づいて、前記複数の原稿ページの内容を代表する代表文字列を抽出し、抽出した前記代表文字列を示す前記関連情報を生成することを特徴とする請求項１または２に記載の画像処理装置。
【請求項４】
前記データ編集部は、前記複数の仕切紙ページの前記ページ読取データそれぞれに対し、前記複数の仕切紙ページであることを示す仕切画像をさらに付加して、前記編集ページ読取データを得ることを特徴とする請求項１から３のいずれか一項に記載の画像処理装置。 
【請求項５】
前記データ編集部は、前記原稿の前記原稿読取データにおける前記複数の仕切紙ページそれぞれに対する前記編集ページ読取データのページ位置を、該仕切紙ページの直前の原稿ページ群の前記ページ読取データの直前のページ位置に変更することを特徴とする請求項１から４のいずれか一項に記載の画像処理装置。
【請求項６】
前記データ編集部は、前記複数の仕切紙ページそれぞれに対応する前記ページ読取データに対し、前記原稿に含まれる前記複数の仕切紙ページの通し番号をさらに付加して、前記編集ページ読取データを得ることを特徴とする請求項１に記載の画像処理装置。
【請求項７】
前記出力部は、印刷用紙に画像を形成する画像形成部であって、
前記画像形成部は、前記印刷用紙の表面および裏面に前記原稿読取データの画像を形成する場合に、前記複数の仕切紙ページの直前または直後のページに画像を形成せずに前記印刷用紙を排紙することにより、前記印刷用紙の前記表面に前記複数の仕切紙ページそれぞれに対応する編集ページ読取データの画像を形成することを特徴とする請求項１から６のいずれか一項に記載の画像処理装置。
【請求項８】
画像処理装置で実行される画像処理方法であって、
原稿ページと、原稿ページ間を区切る複数の仕切紙ページとを含む原稿をページ単位で読み取る読取工程と、
前記読取工程において読み取られたページ単位のページ読取データに基づいて、当該ページ読取データに対応する対象ページが原稿ページであるか仕切紙ページであるかを判定するページ判定工程と、
前記ページ判定工程において前記原稿ページであると判定されたページであって、前記複数の仕切紙ページにより区切られた複数の原稿ページ群ごとに、該原稿ページ群に含まれる原稿ページの前記ページ読取データそれぞれに含まれる情報の一部を抽出して該原稿ページ群に関する関連情報を生成する関連情報生成工程と、
前記ページ判定工程において前記仕切紙ページであると判定されたページに対応するページ読取データそれぞれに対し、該仕切紙ページ直前の原稿ページ群の関連情報を、該仕切紙ページに対応する前記ページ読取データに付加し、編集ページ読取データを得るデータ編集工程と、
前記複数の仕切紙ページそれぞれに対応するページ読取データを該ページ読取データに対応する編集ページ読取データに変更して前記原稿に対応する原稿読取データを出力する出力工程と
を含むことを特徴とする画像処理方法。
【請求項９】
コンピュータを、
原稿ページと、原稿ページ間を区切る複数の仕切紙ページとを含む原稿をページ単位で読み取る読取部と、
前記読取部により読み取られたページ単位のページ読取データに基づいて、当該ページ読取データに対応する対象ページが原稿ページであるか仕切紙ページであるかを判定するページ判定部と、
前記ページ判定部により前記原稿ページであると判定されたページであって、前記複数の仕切紙ページにより区切られた複数の原稿ページ群ごとに、該原稿ページ群に含まれる原稿ページの前記ページ読取データそれぞれに含まれる情報の一部を抽出して該原稿ページ群に関する関連情報を生成する関連情報生成部と、
前記ページ判定部により前記仕切紙ページであると判定されたページに対応するページ読取データそれぞれに対し、該仕切紙ページ直前の原稿ページ群の関連情報を、該仕切紙ページに対応する前記ページ読取データに付加し、編集ページ読取データを得るデータ編集部と、
前記複数の仕切紙ページそれぞれに対応するページ読取データを該ページ読取データに対応する編集ページ読取データに変更して前記原稿に対応する原稿読取データを出力する出力部と
して機能させるためのプログラム。
【発明の詳細な説明】
【技術分野】
【０００１】
本発明は、画像処理装置、画像処理方法およびプログラムに関する。
【背景技術】
【０００２】
従来、画像読取装置において、複数の文書を含む原稿を読み取る際に、文書間に仕切紙を挿入しておくことにより、文書の区切り位置を特定し、その後の文書単位での処理を自動化する技術が知られている。
【０００３】
例えば、特許文献１には、書誌情報に関連付けて一意の管理番号を生成するとともに、該管理番号と書誌情報を印刷した原稿仕切シートを印刷するデータ処理装置が開示されている。こうして得られた仕切シートを文書の先頭ページに付加した状態でスキャンすることにより、複数の文書を一括して読み込みつつ、正確な区切り位置で文書を管理することができる。
【０００４】
また、従来技術においては、仕切紙として、専用の紙の他、全面白紙や、単色白紙などが用いられている。さらに、特許文献１の仕切シートのように、所定の情報が印字された仕切紙が用いられるものも知られている。
【発明の概要】
【発明が解決しようとする課題】
【０００５】
しかしながら、仕切紙を単に文書の区切り位置を特定するためだけに利用するのではなく、その利用価値を高めたいという要望がある。これに対し、特許文献１の技術においては、仕切シートに所定の情報が印字されているものの、仕切シートへの情報印字のためには、ユーザ操作が必要となりユーザの負担が大きいという問題があった。
【０００６】
本発明は、上記に鑑みてなされたものであって、簡単な操作で仕切紙の利用価値を高めることのできる画像処理装置、画像処理方法およびプログラムを提供することを目的とする。
【課題を解決するための手段】
【０００７】
上述した課題を解決し、目的を達成するために、本発明は、原稿ページと、原稿ページ間を区切る複数の仕切紙ページとを含む原稿をページ単位で読み取る読取部と、前記読取部により読み取られたページ単位のページ読取データに基づいて、当該ページ読取データに対応する対象ページが原稿ページであるか仕切紙ページであるかを判定するページ判定部と、前記ページ判定部により前記原稿ページであると判定されたページであって、前記複数の仕切紙ページにより区切られた複数の原稿ページ群ごとに、該原稿ページ群に含まれる原稿ページの前記ページ読取データそれぞれに含まれる情報の一部を抽出して該原稿ページ群に関する関連情報を生成する関連情報生成部と、前記ページ判定部により前記仕切紙ページであると判定されたページに対応するページ読取データそれぞれに対し、該仕切紙ページ直前の原稿ページ群の関連情報を、該仕切紙ページに対応する前記ページ読取データに付加し、編集ページ読取データを得るデータ編集部と、前記複数の仕切紙ページそれぞれに対応するページ読取データを該ページ読取データに対応する編集ページ読取データに変更して前記原稿に対応する原稿読取データを出力する出力部とを備えることを特徴とする。
【０００８】
また、本発明は、画像処理装置で実行される画像処理方法であって、原稿ページと、原稿ページ間を区切る複数の仕切紙ページとを含む原稿をページ単位で読み取る読取工程と、前記読取工程において読み取られたページ単位のページ読取データに基づいて、当該ページ読取データに対応する対象ページが原稿ページであるか仕切紙ページであるかを判定するページ判定工程と、前記ページ判定工程において前記原稿ページであると判定されたページであって、前記複数の仕切紙ページにより区切られた複数の原稿ページ群ごとに、該原稿ページ群に含まれる原稿ページの前記ページ読取データそれぞれに含まれる情報の一部を抽出して該原稿ページ群に関する関連情報を生成する関連情報生成工程と、前記ページ判定工程において前記仕切紙ページであると判定されたページに対応するページ読取データそれぞれに対し、該仕切紙ページ直前の原稿ページ群の関連情報を、該仕切紙ページに対応する前記ページ読取データに付加し、編集ページ読取データを得るデータ編集工程と、前記複数の仕切紙ページそれぞれに対応するページ読取データを該ページ読取データに対応する編集ページ読取データに変更して前記原稿に対応する原稿読取データを出力する出力工程とを含むことを特徴とする。
【０００９】
また、本発明は、プログラムであって、コンピュータを、原稿ページと、原稿ページ間を区切る複数の仕切紙ページとを含む原稿をページ単位で読み取る読取部と、前記読取部により読み取られたページ単位のページ読取データに基づいて、当該ページ読取データに対応する対象ページが原稿ページであるか仕切紙ページであるかを判定するページ判定部と、前記ページ判定部により前記原稿ページであると判定されたページであって、前記複数の仕切紙ページにより区切られた複数の原稿ページ群ごとに、該原稿ページ群に含まれる原稿ページの前記ページ読取データそれぞれに含まれる情報の一部を抽出して該原稿ページ群に関する関連情報を生成する関連情報生成部と、前記ページ判定部により前記仕切紙ページであると判定されたページに対応するページ読取データそれぞれに対し、該仕切紙ページ直前の原稿ページ群の関連情報を、該仕切紙ページに対応する前記ページ読取データに付加し、編集ページ読取データを得るデータ編集部と、前記複数の仕切紙ページそれぞれに対応するページ読取データを該ページ読取データに対応する編集ページ読取データに変更して前記原稿に対応する原稿読取データを出力する出力部として機能させるためのプログラムである。
【発明の効果】
【００１０】
本発明によれば、簡単な操作で仕切紙の利用価値を高めることができるという効果を奏する。
【図面の簡単な説明】
【００１１】
【図１】図１は、画像処理装置の構成を示すブロック図である。
【図２】図２は、画像処理装置の読み取り対象となる原稿の一例を示す図である。
【図３】図３は、画像処理装置の読み取り対象となる原稿の一例を示す図である。
【図４】図４は、代表文字列記憶部のデータ構成を模式的に示す図である。
【図５−１】図５−１は、編集ページ読取データの一例を示す図である。
【図５−２】図５−２は、編集ページ読取データの一例を示す図である。
【図６】図６は、読取部の読み取り対象の原稿に対して得られた原稿読取データの一例を示す図である。
【図７】図７は、画像処理装置による処理を示すフローチャートである。
【図８】図８は、第１の変更例にかかる原稿読取データを示す図である。
【図９】図９は、第２の変更例にかかる編集ページ読取データを示す図である。
【図１０】図１０は、第３の変更例にかかる編集ページ読取データを示す図である。
【図１１】図１１は、原稿読取データと、画像形成された印刷用紙の関係を示す図である。
【図１２】図１２は、原稿読取データと、画像形成された印刷用紙の関係を示す図である。
【図１３】図１３は、第４の変更例にかかる画像処理装置の処理を示すフローチャートである。
【図１４】図１４は、画像処理装置のハードウェア構成を示すブロック図である。
【図１５】図１５は、画像処理システムの全体構成を示す図である。
【発明を実施するための形態】
【００１２】
以下に添付図面を参照して、画像処理装置、画像処理方法およびプログラムの実施の形態を詳細に説明する。
【００１３】
図１は、実施の形態にかかる画像処理装置１の構成を示すブロック図である。画像処理装置１は、読取部１００と、ページ読取データ記憶部１０１と、出力部１０２と、ページ数カウンタ１０３と、ページ判定部１０４と、ＯＣＲ（Ｏｐｔｉｃａｌ  Ｃｈａｒａｃｔｅｒ  Ｒｅｃｏｇｎｉｔｉｏｎ）部１０５と、代表文字列抽出部１０６と、代表文字列記憶部１０７と、関連情報生成部１０８と、データ編集部１０９とを備えている。
【００１４】
読取部１００は、原稿をページ単位で読み取る。具体的には、ＡＤＦ（Ａｕｔｏ  Ｄｏｃｕｍｅｎｎｔ  Ｆｅｅｄｅｒ）などに搭載された原稿を、給紙された順に光学センサを備えた読取部１００のヘッドにより読み取り、ページ単位の画像データ、すなわちページ読取データを得る。読取部１００は、得られたページ読取データをページ読取データ記憶部１０１に書き込む。ページ読取データ記憶部１０１は、原稿に含まれる複数ページのページ読取データを１つのファイルとして、すなわち原稿単位の原稿読取データとして記憶する。なお、本実施の形態においては、読み取りの対象は、各用紙の片面（表面）のみであるものとする。
【００１５】
図２および図３は、本実施の形態にかかる画像処理装置１の読み取り対象となる原稿の一例を示す図である。読み取り対象となる原稿は、複数の用紙を含んでいる。より詳しくは、原稿は、原稿内容が表示された原稿紙（原稿ページ）と、原稿中の文書を区切るための仕切紙（仕切紙ページ）とを含んでいる。
【００１６】
図２および図３に示す原稿においては、原稿ページ２と原稿ページ３の間には、原稿ページ１〜２と原稿ページ３〜４とを区切るための仕切紙ａ（仕切紙ページ１）が挿入されている。原稿ページ４と原稿ページ５の間には、原稿ページ３〜４と原稿ページ５〜６とを区切るための仕切紙ｂ（仕切紙ページ２）が挿入されている。これにより、原稿中の複数の原稿ページは、原稿ページ群Ａ，Ｂ，Ｃの３つのグループに分類される。ユーザは、原稿に含まれる複数ページをページ単位で複数の原稿ページ群に分割して管理することを希望する場合には、読取部１００の読み取り対象となる原稿の原稿ページ群の境界位置に仕切紙を予め挿入しておく。
【００１７】
ここで、仕切紙は、原稿ページの用紙とは異なる用紙である。具体的には、仕切紙は、後述するページ判定部１０４において、原稿ページと仕切紙ページとを識別可能な用紙であればよく、例えば、白紙、全面単色紙、仕切り用途に適したタブ紙などが挙げられる。なお、本実施の形態においては、仕切紙として、白紙または全面単色紙が用いられる例について説明する。
【００１８】
図１に戻り、ページ数カウンタ１０３は、読取部１００により読み取られたページの数、すなわちページ数をカウントする。ページ数カウンタ１０３は、原稿ページおよび仕切紙に相当する仕切紙ページをそれぞれ１ページとしてカウントする。すなわち、図２および図３に示す原稿においては、原稿ページ１に対しページ数１、原稿ページ２に対しページ数２、仕切紙ページ１に対しページ数３をカウントする。
【００１９】
ページ判定部１０４は、読取部１００により得られたページ読取データに基づいて、読取部１００の読み取り対象のページが、原稿ページであるか、仕切紙ページであるかを判定する。ページ判定部１０４は、具体的には、ページ読取データの輝度分布を求め、特定の輝度値の頻度が、予め設定された閾値よりも大きい場合に仕切紙ページであると判定する。
【００２０】
なお、他の例としては、仕切紙がタブ付き紙である場合には、ページ判定部１０４は、タブの有無を検出し、検出結果により、仕切り紙ページであるか、原稿ページであるかを判定してもよい。
【００２１】
ＯＣＲ部１０５は、ページ読取データ記憶部１０１に記憶されているページ読取データから、ＯＣＲ処理により文字データを抽出する。ＯＣＲ処理は、画像データの特徴を分析し、文字らしさを判定し、文字コードに変換する処理である。ＯＣＲ処理により、文字コードの他、文字の配置位置、文字サイズ、文字認識の確信度など各種情報を得ることができる。
【００２２】
代表文字列抽出部１０６は、ＯＣＲ部１０５によるＯＣＲ処理の結果に基づいて、各原稿ページの内容を代表する代表文字列を、原稿ページの文字データの中から抽出する。代表文字列抽出部１０６は具体的には、ページの最上部に配置されている文字列を代表文字列として抽出する。例えば図２および図３に示す原稿ページ１においては、最上段に配置される「月次報告書」の文字列が代表文字列として抽出される。代表文字列抽出部１０６は、さらに抽出した代表文字列をページ数カウンタによりカウントされたページ数に対応付けて代表文字列記憶部１０７に書き込む。
【００２３】
なお、代表文字列の抽出方法は、実施の形態に限定されるものではなく多様な方法を採用することができる。代表文字列の抽出の他の例としては、サイズが最大の文字列や、行頭文字の配置位置がページの最も左側に配置されている文字列を代表文字列として抽出してもよい。また、他の例としては、ＯＣＲ部１０５により得られた文字の文法的な解析を行い、解析結果に基づいた文字列の重要度が最大となる文字列を代表文字列として抽出してもよい。また、これら抽出方法を組み合わせることにより代表文字列を抽出してもよい。
【００２４】
図４は、代表文字列記憶部１０７のデータ構成を模式的に示す図である。代表文字列記憶部１０７は、代表文字列を、代表文字列の抽出元のページに対してページ数カウンタ１０３がカウントしたページ数に対応付けて記憶している。
【００２５】
関連情報生成部１０８は、ページ判定部１０４により仕切紙ページであると判定された場合に、代表文字列記憶部１０７に記憶されているページ情報とカウント数とに基づいて、仕切紙ページのページ読取データに付加すべき関連情報を生成する。データ編集部１０９は、関連情報生成部１０８により得られた関連情報を、処理対象の仕切紙ページに対応するページ読取データに付加する。以下、関連情報が付加されたページ読取データを編集ページ読取データと称する。
【００２６】
ここで、関連情報とは、処理対象となる仕切紙ページの直前の原稿ページ群に関する情報である。図５−１および図５−２は、関連情報が付加された編集ページ読取データの一例を示す図である。関連情報は、処理対象となる仕切紙の直前の原稿ページ群に含まれる各原稿ページのページ数と代表文字列とを対応付けた情報を含んでいる。関連情報はさらに、仕切紙ページであることを示す仕切画像として、「仕切り紙」という表示情報を含んでいる。さらに、図５−１および図５−２に示す仕切紙ページ１と仕切紙ページ２に対応する編集ページ読取データにおいては、ページの同一位置に「仕切り紙」の表示が配置され、その下にページ数と代表文字列の組がページ順に上から下に配置されている。
【００２７】
このように、本実施の形態にかかる関連情報生成部１０８は、いずれの編集ページ読取データにおいても、同一の仕切画像が同一の配置位置に配置されるような関連情報を生成する。関連情報生成部１０８はさらに、上述のように、ページ数および代表文字列の組についても、同一の配置ルールに従って、編集ページ読取データに配置されるような関連情報を生成する。
【００２８】
このように、同一位置に固定文字列を配置したり、同一の配置ルールに従って代表文字列を配置することにより、仕切紙ページのレイアウトの印象が固定されるので、ユーザは、仕切紙ページを容易に視認することができる。
【００２９】
なお、関連情報生成部１０８が生成する関連情報は、仕切紙直前の原稿ページ群に関連する情報であればよく、その種類は実施の形態に限定されるものではない。例えば、仕切画像は実施の形態に限定されるものではなく、文字列にかえて、画像であってもよい。また、関連情報は、データ数のみでもよく、また代表文字列のみでもよい。また、本実施の形態においては、各原稿ページの代表文字列すべてを関連情報に含めることとしたが、これにかえて、原稿ページ群の最初の原稿ページの代表文字列など、所定の原稿ページの代表文字列のみを関連情報に含めることとしてもよい。
【００３０】
図６は、読取部１００の読み取り対象の原稿に対して得られた原稿読取データの一例を示す図である。原稿読取データは、仕切紙ページに対しては、読取部１００により得られたページ読取データにかえて、編集ページ読取データを含んでいる。
【００３１】
出力部１０２は、ページ読取データ記憶部１０１に記憶されている、原稿読取データを他の装置に送信する。なお、ページ読取データ記憶部１０１の原稿読取データには、仕切りページに対応する、編集後のページ読取データが含まれている。また、他の例としては、出力部１０２は、画像形成装置であり、印刷用紙に原稿読取データに対応する画像を形成してもよい。
【００３２】
図７は、画像処理装置１による処理を示すフローチャートである。処理において、まず、ページ数カウンタ１０３は、ページ数カウンタをクリアする（ステップＳ１）。次に、読取部１００は、原稿の１ページを読み取り、得られたページ読取データをページ読取データ記憶部１０１に書き込む（ステップＳ２）。次に、ページ数カウンタ１０３は、値を１インクリメントする（ステップＳ３）。
【００３３】
次に、ページ判定部１０４は、ページ判定を行う。ページが原稿ページである場合には（ステップＳ４，Ｎｏ）、ＯＣＲ部１０５は、読取部１００により得られたページ読取データに対しＯＣＲ処理を施す（ステップＳ５）。次に、代表文字列抽出部１０６は、ＯＣＲ処理の結果に基づいて、ページ読取データから代表文字列を抽出する（ステップＳ６）。次に、代表文字列抽出部１０６は、抽出した代表文字列と抽出元のページ読取データのページ数とを対応付けて代表文字列記憶部１０７に書き込む（ステップＳ７）。
【００３４】
原稿の読み取りが終了した場合には（ステップＳ８，Ｙｅｓ）、出力部１０２は、ページ読取データ記憶部１０１に記憶されているページ読取データを原稿読取データとして出力する（ステップＳ９）。一方、読み取りが行われていないページが存在する場合には（ステップＳ８，Ｎｏ）、ステップＳ２に進み、未処理のページに対し、ステップＳ２以降の処理が施される。
【００３５】
ステップＳ４において、読取部１００の読み取り対象ページが仕切紙ページである場合には（ステップＳ４，Ｙｅｓ）、関連情報生成部１０８は、代表文字列記憶部１０７に記憶されている代表文字列およびページ数に基づいて、関連情報を生成する（ステップＳ１１）。
【００３６】
なお、このとき、代表文字列記憶部１０７には、関連情報生成部１０８の処理対象の仕切紙ページの直前の原稿ページ群中の各原稿ページの代表文字列が記憶されている。したがって、関連情報生成部１０８は、代表文字列記憶部１０７を参照することにより、直前の原稿ページ群の代表文字列を得ることができる。
【００３７】
次に、データ編集部１０９は、仕切紙ページに対応するページ読取データに関連情報を付与し、編集ページ読取データを得る（ステップＳ１２）。
【００３８】
データ編集部１０９は、仕切紙ページのページ読取データの編集が完了すると、代表文字列記憶部１０７に記憶されている代表文字列を削除する（ステップＳ１３）。そして、ステップＳ８へ進む。以上で、画像処理装置１による読み取り処理が完了する。
【００３９】
このように、本実施の形態にかかる画像処理装置１によれば、ユーザが所定の仕切紙を文書の区切り位置に挿入するだけで、仕切紙に相当するページ読取データに、仕切紙により区切られた文書の内容を付加することができる。したがって、ユーザは、仕切紙ページに対応するページ読取データを参照することにより、各原稿ページ群の特徴およびページ数を把握することができ、さらに次の仕切紙ページの位置を特定することができる。
【００４０】
さらに、出力部１０２が画像形成部であって、原稿読取データに対応する画像が形成された場合には、ユーザは、原稿ページ間に挿入された仕切紙により、原稿ページの区切り位置を把握することができるだけでなく、仕切紙に印字された内容を閲覧することにより、仕切紙直前の原稿ページ群の内容を把握することができ、さらに、次の仕切紙の位置を特定することができる。このように、単に仕切紙を挿入することにより、より利用価値の高い仕切紙を印字可能な編集ページ読取データを得ることができる。すなわち、簡単な操作で仕切紙の利用価値を高めることができる。
【００４１】
以上、本発明を実施の形態を用いて説明したが、上記実施の形態に多様な変更または改良を加えることができる。
【００４２】
そうした第１の変更例としては、図８に示すように、データ編集部１０９は、仕切紙ページに対応するページ読取データを編集するだけでなく、編集後のページ読取データのページ位置を、直前の原稿ページ群の直前のページ位置に移動してもよい。図８に示す例においては、仕切紙ページ１に対応する編集ページ読取データが１ページ目に移動し、原稿ページ１および原稿ページ２に対応するページ読取データが、それぞれ２ページ目および３ページ目に移動する。同様に、仕切紙ページ２に対応する編集ページ読取データが４ページ目に移動し、原稿ページ３および原稿ページ４に対応するページ読取データが、それぞれ５ページ目および６ページ目に移動する。
【００４３】
原稿の内容によっては、原稿ページの直前に、原稿ページ群の内容が示された仕切紙ページが挿入されている方が、ユーザにとって都合がよい場合がある。これに対し、本例のように、仕切紙ページに対応する編集ページ読取データのページ位置を、原稿ページ群の直前のページ位置に変更することにより、仕切紙の編集ページ読取データに表示された原稿ページの内容を、実際の原稿ページに先行してユーザに閲覧させることができる。また、原稿ページの内容を見ることなく、仕切紙ページに記載されたページ数のみから次の仕切紙ページの位置を特定することができる。
【００４４】
なお、ページ位置を変更する観点から、ページ読取データは、ＰＤＦ（Ｐｏｒｔａｂｌｅ  Ｄｏｃｕｍｅｎｔ  Ｆｏｒｍａｔ）やＴＩＦＦ（Ｔａｇｇｅｄ  Ｉｍａｇｅ  Ｆｉｌｅ  Ｆｏｒｍａｔ）など、マルチページを扱う文書フォーマットであることが好ましい。例えば、ＰＤＦの場合には、原稿ページ本体の情報を変更することなく、ページ番号のみを変更することにより、閲覧時のページ順を入れ替えることができる。
【００４５】
さらに他の例としては、仕切紙ページに対応する編集ページ読取データのページ位置を、原稿ページの先頭または末尾にまとめることとしてもよい。すなわち、例えば、仕切紙ページ１および仕切紙ページ２対応する編集ページ読取データをそれぞれ１ページ目および２ページ目とし、原稿ページ１〜原稿ページ４のページ読取データをそれぞれ３ページ目〜６ページ目に配置してもよい。
【００４６】
第２の変更例としては、図９に示すように、仕切紙ページの編集ページ読取データにおいて、原稿ページ１ページに対し複数の代表文字列を表示してもよい。代表文字列は、複数の観点から好ましさを算出し、これを数値化することにより、総合的に決定されるのが好ましい。そこで、本変更例においては、代表文字列抽出部は、複数の観点から複数の代表文字列候補を抽出することとする。さらに、代表文字列の最大情報量を予め設定しておくこととする。そして、代表文字列抽出部は、抽出した複数の代表文字列候補に対し、上位から順に最大情報量に達するまで代表文字列候補を選択し、選択された複数の代表文字列を、対象とする原稿ページの代表文字列とする。
【００４７】
このように、複数の代表文字列を用いることにより、原稿ページの特徴を反映した内容を仕切紙ページに表示することができ、各原稿ページの内容の違いを表現することができる。さらに、表示可能な代表文字列の情報量をユーザにより設定可能としてもよい。
【００４８】
第３の変更例としては、関連情報生成部１０８は、仕切紙ページに対し、仕切紙ページの通し番号を付与するような関連情報を生成してもよい。図１０に示す例においては、「仕切り紙」という仕切画像の右側に「Ｎｏ．１」、「Ｎｏ．２」という通し番号が表示されている。このように、仕切紙ページ独自の通し番号を付与することにより、仕切紙ページの見落としを防ぐことができる。
【００４９】
第４の変更例としては、出力部１０２が画像形成部である場合において、画像形成部は、印刷用紙に原稿読取データの画像を形成する際に、仕切紙ページについては、原稿ページと同一の印刷用紙に画像を形成することなく、異なる印刷用紙に画像を形成することとしてもよい。
【００５０】
仕切紙ページを含む原稿読取データの両面印刷を行うことにより、同一の印刷用紙に原稿ページと仕切紙ページの画像が形成された場合には、文書を区切るという仕切紙の意義が薄れてしまう場合がある。そこで、本変更例においては、上述のように、仕切紙ページについては、原稿ページと異なる印刷用紙に画像を形成することとする。
【００５１】
図１１および図１２は、原稿読取データと、画像形成された印刷用紙の関係を示す図である。図１１に示すように、仕切紙ページが原稿読取データにおいて奇数ページに存在する場合には、仕切紙ページは、印刷用紙の表面に画像形成される。そこで、この場合には、画像形成部は、表面に仕切紙ページの画像が形成された印刷用紙については、裏面への画像形成を行わずに排紙することとする。そして、画像形成部は、次に給紙された印刷用紙に対して、仕切紙ページに続く原稿ページの画像を形成することとする。
【００５２】
図１１に示す例においては、印刷用紙２の表面に仕切紙ページ１が表示され、印刷用紙２の裏面には、画像は形成されない。そして、印刷用紙３の表面に、仕切紙ページ１に続く原稿ページ３の画像が形成される。
【００５３】
また、図１２に示すように、仕切紙ページが原稿読取データにおいて偶数ページに存在する場合には、ページ順に両面印刷が成された場合には、仕切紙ページは、印刷用紙の裏面に画像形成されることとなる。そこで、この場合には、画像形成部は、仕切紙ページの直前の原稿ページを印刷用紙の表面に印刷した後、裏面への画像形成を行わずに、この印刷用紙を排紙し、次に給紙された印刷用紙の表面に仕切紙ページの画像を形成する。そして、画像形成部は、仕切紙ページの画像が形成された印刷用紙に対し、裏面への画像形成を行わず、この印刷用紙を排紙し、次に給紙された印刷用紙の表面に、仕切紙ページに続く原稿ページの画像を形成する。
【００５４】
図１２に示す例においては、印刷用紙２の裏面には、画像が形成されず、印刷用紙３の表面に仕切紙ページ１の画像が形成される。そして、印刷用紙３の裏面には画像は形成されず、印刷用紙４の表面に、仕切紙ページ１に続く原稿ページ４の画像が形成される。
【００５５】
図１３は、第４の変更例にかかる画像処理装置１の処理を示すフローチャートである。第４の変更例にかかる画像処理装置１においては、ページ数カウンタ１０３がクリアされ（ステップＳ２０）、読取部１００により原稿の１ページが読み取られると（ステップＳ２１）、次に、ＡＤＦの機能により印刷用紙が給紙される（ステップＳ２２）。次に、ページ数カウンタ１０３は、値を１インクリメントする（ステップＳ２３）。
【００５６】
ページ判定の結果、対象ページが原稿ページである場合には（ステップＳ２４，Ｎｏ）、代表文字列抽出処理が行われる（ステップＳ２５）。ここで、代表文字列抽出処理は、図７を参照しつつ説明したステップＳ５〜ステップＳ７の処理である。次に、出力部１０２は、印刷用紙の表面に、ページ読取データの画像を形成する（ステップＳ２６）。
【００５７】
原稿の読み取りが終了しない場合には（ステップＳ２７，Ｎｏ）、続いて、読取部１００は、次の１ページを読み取る（ステップＳ２８）。次に、ページ数カウンタ１０３は、値を１インクリメントする（ステップＳ２９）。そして、当該読取対象のページが原稿ページである場合には（ステップＳ３０，Ｎｏ）、代表文字列抽出処理が行われる（ステップＳ３１）。なお、ステップＳ３１の代表文字列抽出処理は、ステップＳ２５の代表文字列抽出処理と同様に、ステップＳ５〜ステップＳ７の処理である。
【００５８】
次に、出力部１０２は、印刷用紙の裏面に、ページ読取データの画像を形成する（ステップＳ３２）。ここで、ステップＳ３２において利用される印刷用紙は、ステップＳ２６において表面に画像が形成された印刷用紙である。
【００５９】
次に、画像形成された印刷用紙が排紙される（ステップＳ３３）。原稿の読み取りが終了しない場合には（ステップＳ３４，Ｎｏ）、ステップＳ２１に戻る。ステップＳ３４において、原稿の読み取りが終了した場合には（ステップＳ３４，Ｙｅｓ）、処理が完了する。また、ステップＳ２７において、原稿の読み取りが終了した場合には（ステップＳ２７，Ｙｅｓ）、ステップＳ３３に進む。
【００６０】
一方、ステップＳ２４において、対象ページが仕切紙ページである場合（ステップＳ２４，Ｙｅｓ）およびステップＳ３０において、読取対象のページが仕切紙ページである場合（ステップＳ３０，Ｙｅｓ）には、ステップＳ４１へ進み、データ編集処理が行われる（ステップＳ４１）。ここで、データ編集処理は、図７を参照しつつ説明したステップＳ１１〜ステップＳ１３の処理である。次に、印刷用紙の表面に仕切紙ページに対応する編集ページ読取データの画像を形成し（ステップＳ４２）、ステップＳ３３へ進む。以上で処理が完了する。
【００６１】
図１４は、画像処理装置１の一例としての複合機のハードウェア構成を示すブロック図である。本図に示すように、この画像処理装置１は、コントローラ１０とエンジン部（Ｅｎｇｉｎｅ）６０とをＰＣＩ（Ｐｅｒｉｐｈｅｒａｌ  Ｃｏｍｐｏｎｅｎｔ  Ｉｎｔｅｒｆａｃｅ）バスで接続した構成となる。コントローラ１０は、画像処理装置１全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００６２】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１６と、ハードディスクドライブ（ＨＤＤ）１８とを有し、ノースブリッジ（ＮＢ）１３とＡＳＩＣ１６との間をＡＧＰ（Ａｃｃｅｌｅｒａｔｅｄ  Ｇｒａｐｈｉｃｓ  Ｐｏｒｔ）バス１５で接続した構成となる。また、ＭＥＭ−Ｐ１２は、ＲＯＭ（Ｒｅａｄ  Ｏｎｌｙ  Ｍｅｍｏｒｙ）１２ａと、ＲＡＭ（Ｒａｎｄｏｍ  Ａｃｃｅｓｓ  Ｍｅｍｏｒｙ)１２ｂと、をさらに有する。
【００６３】
ＣＰＵ１１は、画像処理装置１の全体制御をおこなうものであり、ＮＢ１３、ＭＥＭ−Ｐ１２およびＳＢ１４からなるチップセットを有し、このチップセットを介して他の機器と接続される。
【００６４】
ＮＢ１３は、ＣＰＵ１１とＭＥＭ−Ｐ１２、ＳＢ１４、ＡＧＰバス１５とを接続するためのブリッジであり、ＭＥＭ−Ｐ１２に対する読み書きなどを制御するメモリコントローラと、ＰＣＩマスタおよびＡＧＰターゲットとを有する。
【００６５】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【００６６】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【００６７】
ＡＳＩＣ１６は、画像処理用のハードウェア要素を有する画像処理用途向けのＩＣ（Ｉｎｔｅｇｒａｔｅｄ  Ｃｉｒｃｕｉｔ）であり、ＡＧＰバス１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部６０との間でＰＣＩバスを介したデータ転送をおこなうＰＣＩユニットとからなる。このＡＳＩＣ１６には、ＰＣＩバスを介してＦＣＵ（Ｆａｃｓｉｍｉｌｅ  Ｃｏｎｔｒｏｌ  Ｕｎｉｔ）３０、ＵＳＢ（Ｕｎｉｖｅｒｓａｌ  Ｓｅｒｉａｌ  Ｂｕｓ）４０、ＩＥＥＥ１３９４（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）インターフェース５０が接続される。操作表示部２０はＡＳＩＣ１６に直接接続されている。
【００６８】
ＭＥＭ−Ｃ１７は、コピー用画像バッファ、符号バッファとして用いるローカルメモリであり、ＨＤＤ（Ｈａｒｄ  Ｄｉｓｋ  Ｄｒｉｖｅ）１８は、画像データの蓄積、プログラムの蓄積、フォントデータの蓄積、フォームの蓄積を行うためのストレージである。
【００６９】
ＡＧＰバス１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【００７０】
なお、本実施の形態の画像処理装置１で実行されるプログラムは、ＲＯＭ等に予め組み込まれて提供される。
【００７１】
本実施の形態の画像処理装置１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００７２】
さらに、本実施の形態の画像処理装置１で実行されるプログラムを、インターネット等のネットワークに接続されたコンピュータ上に格納し、ネットワーク経由でダウンロードさせることにより提供するように構成しても良い。また、本実施の形態の画像処理装置１で実行されるプログラムをインターネット等のネットワーク経由で提供または配布するように構成しても良い。
【００７３】
本実施の形態の画像処理装置１で実行されるプログラムは、上述した各部（ページ数カウンタ、ページ判定部、ＯＣＲ部、代表文字列抽出部、関連情報生成部およびデータ編集部）を含むモジュール構成となっており、実際のハードウェアとしてはＣＰＵ（プロセッサ）が上記ＲＯＭからプログラムを読み出して実行することにより上記各部が主記憶装置上にロードされ、各部が主記憶装置上に生成されるようになっている。
【００７４】
なお、画像処理装置は、複写機、プリンタ、スキャナ装置、ファクシミリ装置等の画像形成装置であってもよい。
【００７５】
また、図１５に示すようにネットワーク２００を介して接続された複数の装置２０１〜２０３により、上述の画像処理装置に相当する画像処理システム２が実現されてもよい。
【符号の説明】
【００７６】
１  画像処理装置
１００  読取部
１０１  ページ読取データ記憶部
１０２  出力部
１０３  ページ数カウンタ
１０４  ページ判定部
１０５  ＯＣＲ部
１０６  代表文字列抽出部
１０７  代表文字列記憶部
１０８  関連情報生成部
１０９  データ編集部
【先行技術文献】
【特許文献】
【００７７】
【特許文献１】特許第４２９８２８７号公報
【図１】
0005962234.tif 000002
【図２】
0005962234.tif 000003
【図３】
0005962234.tif 000004
【図４】
0005962234.tif 000005
【図５−１】
0005962234.tif 000006
【図５−２】
0005962234.tif 000007
【図６】
0005962234.tif 000008
【図７】
0005962234.tif 000009
【図８】
0005962234.tif 000010
【図９】
0005962234.tif 000011
【図１０】
0005962234.tif 000012
【図１１】
0005962234.tif 000013
【図１２】
0005962234.tif 000014
【図１３】
0005962234.tif 000015
【図１４】
0005962234.tif 000016
【図１５】
0005962234.tif 000017